(57)【要約】【課題】表示品質を向上すことができる表示装置及びその駆動方法を提供する。【解決手段】本発明の表示装置は、曲率半径を有する表示パネルと、表示パネルを駆動する駆動部と、駆動部を制御するタイミング制御部と、タイミング制御部に映像信号を供給する映像処理部と、表示パネルの曲率半径に対応して映像信号を圧縮し又は拡張する映像補正部とを含む。【選択図】図３
2014119763.tif 000002
【特許請求の範囲】
【請求項１】
曲率半径を有する表示パネルと、
前記表示パネルを駆動する駆動部と、
前記駆動部を制御するタイミング制御部と、
前記タイミング制御部に映像信号を供給する映像処理部と、
前記表示パネルの曲率半径に対応して前記映像信号を圧縮し又は拡張する映像補正部と
を含むことを特徴とする表示装置。
【請求項２】
前記映像補正部は、前記表示パネルの曲率半径に対応して前記映像信号のエッジ部分が凹に入るように圧縮補正し又は凸に出てくるように拡張補正する
ことを特徴とする請求項１記載の表示装置。
【請求項３】
前記映像補正部は、
前記表示パネルが凹の曲率半径を有して曲がっているときには前記映像信号を凸に補正し、
前記表示パネルが凸の曲率半径を有して曲がっているときには前記映像信号を凹に補正し、
前記表示パネルが平らであるときには前記映像信号を未補正とする
ことを特徴とする請求項２記載の表示装置。
【請求項４】
前記映像補正部は、
前記表示パネルの曲率半径に対応する曲率半径係数が貯蔵されたルックアップテーブルと、
前記映像信号を一時貯蔵するメモリ部と、
前記メモリ部から前記映像信号をライン単位で読み出し、前記ルックアップテーブルから前記表示パネルの曲率半径に対応する曲率半径係数を読み出し、前記曲率半径係数に基づいて、前記映像信号をライン単位で補正して出力する補正部とを含む
ことを特徴とする請求項３記載の表示装置。
【請求項５】
前記映像補正部は、
前記表示パネルが凹の曲率半径を有して曲がっているときには前記映像信号を凸に補正するとともに、凸に補正された領域以外の領域にブラックデータを挿入し、
前記表示パネルが凸の曲率半径を有して曲がっているときには前記映像信号を凹に補正するとともに、凹に補正された領域以外の領域にブラックデータを挿入する
ことを特徴とする請求項４記載の表示装置。
【請求項６】
前記表示パネルの傾きに対応する角度情報を生成する傾き感知部をさらに含み、
前記映像補正部は、前記傾き感知部から供給された前記角度情報に基づいて、前記映像信号を部分補正する
ことを特徴とする請求項５記載の表示装置。
【請求項７】
前記映像補正部は、前記角度情報に基づいて、前記表示パネルに表示される映像信号の上下左右の部分の１つ以上が拡大されるように補正する
ことを特徴とする請求項６記載の表示装置。
【請求項８】
表示パネルの曲率半径係数を読み出す段階と、
前記表示パネルに供給する映像信号をライン単位で読み出す段階と、
前記表示パネルの曲率半径に対応する前記曲率半径係数に基づいて、前記映像信号のエッジ部分が凹に入るように圧縮補正し又は凸に出てくるように補正する段階と、
前記表示パネルに補正された映像信号を供給し、表示する段階と
を含むことを特徴とする表示装置の駆動方法。
【請求項９】
前記補正段階は、
前記表示パネルが凹の曲率半径を有して曲がっているときには前記映像信号を凸に補正し、
前記表示パネルが凸の曲率半径を有して曲がっているときには前記映像信号を凹に補正し、
前記表示パネルが平らであるときには前記映像信号を未補正とする
ことを特徴とする請求項８記載の表示装置の駆動方法。
【請求項１０】
前記補正段階は、
前記表示パネルの傾きに対応する角度情報を供給する段階と、
前記の角度情報に基づいて、前記映像信号の上下左右の部分の１つ以上が拡大するように補正する段階とをさらに含む
ことを特徴とする請求項８記載の表示装置の駆動方法。
【発明の詳細な説明】
【技術分野】
【０００１】
本発明は、表示装置及びその駆動方法に関する。
【背景技術】
【０００２】
情報化技術が発達するにつれて、ユーザーと情報との間の接続媒体である平板表示装置の市場が大きくなっている。これにより、有機電界発光表示装置（Organic Light Emitting Display：ＯＬＥＤ）、液晶表示装置（Liquid Crystal Display：ＬＣＤ）、電気泳動表示装置（Electro Phoretic Display;ＥＰＤ）及びプラズマ表示装置（Plasma Display Panel：ＰＤＰ）などのような平板表示装置の使用が増加している。
【０００３】
前に例示された平板表示装置のうち、有機電界発光表示装置、液晶表示装置及び電気泳動表示装置などのように柔軟性を付与することができる平板表示装置では、表示パネルを曲面で実現した後、映像を表示するなど、様々な研究が進められている。
【０００４】
表示パネルを曲面で実現した後、映像を表示する方式は、通常の平板表示装置を実現する方式と同じであるが、ガラスの代わりに金属やプラスチック材料などを基板として使用し、表示パネルに曲率半径を形成する違いがある。
【先行技術文献】
【特許文献】
【０００５】
【特許文献１】特開２０１１−０６５１７３号公報
【発明の概要】
【発明が解決しようとする課題】
【０００６】
しかし、従来の方式は、曲率半径を有する表示パネルに通常の映像信号をそのまま表示することにより、特定領域に表示されるイメージが歪む問題があった。また、従来の方式は、曲率半径を有する表示パネルの中心部と端部との間の遠近の差があり、ユーザーに遠い表示部分より近い表示部分が拡大されて見える問題がある。したがって、曲率半径を有する表示パネルに実現された従来の表示装置には、このような問題を改善するための方案が求められる。
【０００７】
本発明は、前述した問題点に鑑みてなされたものであり、本発明の目的とするところは、曲率半径を有する表示装置の実現時に、表示パネルの曲率半径と表示パネルの傾きに対応して、イメージが歪曲されて見える問題を改善し、表示品質を向上することができる表示装置及びその駆動方法を提供することである。
【課題を解決するための手段】
【０００８】
前記目的を達成するために、本発明の表示装置及びその駆動方法は曲率半径を有する表示パネルと表示パネルを駆動する駆動部と、駆動部を制御するタイミング制御部と、タイミング制御部に映像信号を供給する映像処理部と、表示パネルの曲率半径に対応して映像信号を圧縮し又は拡張する映像補正部とを含む。
【発明の効果】
【０００９】
本発明は、表示パネルの曲率半径と表示パネルの傾きのうちの１つ以上に対応した、対抗する逆像に映像信号を補正して、特定の領域に表示されたイメージが歪んで見える問題を改善し、表示品質を向上することができる表示装置及びその駆動方法を提供する効果がある。
【図面の簡単な説明】
【００１０】
【図１】本発明の第１実施形態に係る表示装置を概略的に示すブロック図である。
【図２】図１に示されたサブ画素を概略的に示した構成図である。
【図３】曲率半径を有する表示パネルを示す図である。
【図４】表示パネルに曲率半径を形成する構造の例示図である。
【図５】曲率半径を有する表示パネルに映像表示時の問題点を説明するための図である。
【図６】本発明の第１実施形態に係る表示装置の一部を示すブロック図である。
【図７】本発明の第１実施形態に係る映像補正の理解を助けるための図である。
【図８】本発明の第１実施形態に係る映像補正の理解を助けるための図である。
【図９】本発明の第２実施形態に係る表示装置の一部を示すブロック図である。
【図１０】表示パネルの傾きに沿った上下視点の距離差を説明するための図である。
【図１１】図１０に示した上下視点の距離差によるイメージの歪みを説明するための図である。
【図１２】本発明の第２実施形態に係る映像補正の理解を助けるための図である。
【図１３】本発明の第２実施形態に係る映像補正の理解を助けるための図である。
【図１４】本発明の他の実施形態を説明するためのブロック図である。
【図１５】本発明の他の実施形態を説明するためのブロック図である。
【図１６】本発明に係る表示装置の駆動方法を説明するためのフローチャート図である。
【発明を実施するための形態】
【００１１】
以下、本発明の実施形態に係る具体的な実施の形態を添付図面を参照して説明する。
【００１２】
＜第１実施形態＞
【００１３】
図１は、本発明の第１実施形態に係る表示装置を概略的に示すブロック図であり、図２は、図１に示されたサブ画素を概略的に示した構成図である。
【００１４】
本発明の第１実施形態に係る表示装置には、映像処理部１００、映像補正部１１０、タイミング制御部１２０、ゲート駆動部１３０、データ駆動部１４０及び表示パネル１５０が含まれる。
【００１５】
映像処理部１００は、外部から供給された映像信号（ＤＡＴＡ）を映像処理してタイミング制御部１２０に供給する。映像処理部１００は、映像信号（ＤＡＴＡ）と共に垂直同期信号（Ｖｓｙｎｃ）、水平同期信号（Ｈｓｙｎｃ）、データイネーブル信号（Data Enable、ＤＥ）とクロック信号（ＣＬＫ）などの駆動信号をタイミング制御部１２０に供給することができる。
【００１６】
映像補正部１１０は、表示パネル１５０が特定角度の曲率半径を有するように上下または左右に曲がっているか、曲がるように動作する時、エッジ部分に表示されるイメージの歪みを補正する。このため、映像補正部１１０は、表示パネル１５０の曲率半径に対応して、映像信号（ＤＡＴＡ）を圧縮し又は拡張するが、これに対する説明は、以下でする。
【００１７】
タイミング制御部１２０は、映像処理部１００から供給された垂直同期信号（Ｖｓｙｎｃ）、水平同期信号（Ｈｓｙｎｃ）、データイネーブル信号（Data Enable、ＤＥ）、クロック信号（ＣＬＫ）などの駆動信号を用いて、データ駆動部１４０とゲート駆動部１３０の動作タイミングを制御する。タイミング制御部１２０は、Ｉ２Ｃインタフェース等を介して外部メモリ部からの表示パネル１５０の解像度、周波数及びタイミング情報などを含むデバイス情報（Extended Display Identification Data；ＥＤＩＤ）や補償データなどを収集する。タイミング制御部１２０は、ゲート駆動部１３０の動作タイミングを制御するためのゲートタイミング制御信号（ＧＤＣ）とデータ駆動部１４０の動作タイミングを制御するためのデータタイミング制御信号（ＤＤＣ）を出力する。タイミング制御部１２０は、データタイミング制御信号（ＤＤＣ）と共に映像信号（ＤＡＴＡ）をデータ駆動部１４０に供給する。
【００１８】
データ駆動部１４０は、タイミング制御部１２０から供給されたデータタイミング制御信号（ＤＤＣ）に応答して映像信号（ＤＡＴＡ）をサンプリングしてラッチし、ガンマ基準電圧に変換して出力する。データ駆動部１４０は、集積回路（ＩＣ：Integrated Circuit）で形成されて表示パネル１５０に実装されるか表示パネル１５０に接続された外部基板に実装することができる。データ駆動部１４０は、データライン（ＤＬ）を介して表示パネル１５０に含まれたサブ画素（ＳＰ）に映像信号（ＤＡＴＡ）を供給する。
【００１９】
ゲート駆動部１３０は、タイミング制御部１２０から供給されたゲートタイミング制御信号（ＧＤＣ）に応答してゲート電圧のレベルをシフトさせながら、ゲート信号を出力する。ゲート駆動部１３０は、集積回路で形成されて表示パネル１５０に実装されるか表示パネル１５０に接続された外部基板に実装することができる。また、ゲート駆動部１３０はゲートインパネル（Gate In Panel）の形で表示パネル１５０に形成することができる。ゲート駆動部１３０は、ゲートライン（ＧＬ）を介して表示パネル１５０に含まれたサブ画素（ＳＰ）にゲート信号を供給する。
【００２０】
表示パネル１５０は、ゲート駆動部１３０から供給されたゲート信号とデータ駆動部１４０から供給された映像信号（ＤＡＴＡ）に対応して映像を表示する。表示パネル１５０には、映像を表示するために、光を制御するサブ画素（ＳＰ）が含まれる。
【００２１】
１つのサブ画素には、ゲートライン（ＧＬ１）とデータライン（ＤＬ１）に接続されたスイッチングトランジスタ（ＳＷ）とスイッチングトランジスタ（ＳＷ）を介して供給された映像信号（ＤＡＴＡ）に対応して動作する画素回路（ＰＣ）が含まれる。画素回路（ＰＣ）の構成に応じてサブ画素（ＳＰ）は、液晶表示パネルや有機発光表示パネルで構成される。
【００２２】
表示パネル１５０が液晶表示パネルで構成される場合、画素回路（ＰＣ）には、ストレージキャパシターと液晶層が含まれる。ストレージキャパシターは、スイッチングトランジスタ（ＳＷ）を介して供給された映像信号（ＤＡＴＡ）をデータ電圧として貯蔵する。液晶層は、画素電極と共通電極との間に形成された電界に対応してチルト（tilt）される。液晶表示パネルは、ＴＮ（Twisted Nematic）モード、ＶＡ（Vertical Alignment）モード、ＩＰＳ（In Plane Switching）モード、ＦＦＳ（Fringe Field Switching）モードまたはＥＣＢ（Electrically Controlled Birefringence）モードで実現される。
【００２３】
表示パネル１５０が、有機発光表示パネルで構成される場合、画素回路（ＰＣ）には、ストレージキャパシター、駆動トランジスタ及び有機発光ダイオードが含まれる。ストレージキャパシターは、スイッチングトランジスタ（ＳＷ）を介して供給された映像信号（ＤＡＴＡ）をデータ電圧として貯蔵する。駆動トランジスタは、有機発光ダイオードに駆動電流を供給する。有機発光ダイオードは、駆動電流に対応して光を発光する。有機発光表示パネルは、前面発光（Top-Emission）方式、背面発光（Bottom-Emission）方式または両面発光（Dual-Emission）方式で実現される。この他に、表示パネル１５０は、電気泳動表示パネルや電気湿潤表示パネルなどにも実現することができる。
【００２４】
図３は、曲率半径を有する表示パネルを示す図であり、図４は、表示パネルに曲率半径を形成する構造の例示図であり、図５は、曲率半径を有する表示パネルに映像表示時の問題を説明するための図である。
【００２５】
表示パネル１５０は、図３の（ａ）に示すようにユーザー（ＵＳＲ）の視点から見て凹に曲がった曲率半径を有するように固定したり、図３の（ｂ）に示すようにユーザー（ＵＳＲ）の視点から見て凸に曲がった曲率半径を有するように固定したりすることができる。
【００２６】
表示パネル１５０に前記のような形状を持たせるために、製造段階では、表示パネル１５０にあらかじめ設定された角度を付与することができる背面基板（曲率半径を有する背面基板）を付着することができる。しかし、表示パネル１５０は、前記のように、特定の曲率半径を有するように固定せず、中央領域（Ｃ）を基準にして、上部部分（ＵＰ）と下部部分（ＬＰ）が飛び出したり、入るように駆動することに伴い、特定角度に可変された曲率半径を有することができる。
【００２７】
このために、表示パネル１５０の背面には、例えば、図４のように曲率半径を形成する器具制御部（１６０、１６１、１６３）を配置することができる。この場合、器具制御部（１６０、１６１、１６３）には、支持器具１６０、中央領域制御部１６１と外郭領域制御部１６３が含まれる。
【００２８】
支持器具１６０は、中央領域制御部１６１と外郭領域制御部１６３を支持する器具である。中央領域制御部１６１は、表示パネル１５０の中央領域を押すか、または引っ張る器具である。中央領域制御部１６１は、表示パネル１５０の中央領域にｈ個（ｈは２以上の整数）ずつ配置することができるが、これに限定されない。外郭領域制御部１６３は、表示パネル１５０の外郭領域を押すか、または引っ張る器具である。外郭領域制御部１６３は、表示パネル１５０の４つの面の外郭に、それぞれｉ個（ｉは２以上の整数）ずつ配置することができるが、これに限定されない。
【００２９】
例えば、表示パネル１５０に図３の（ａ）に示すように凹の曲率半径を形成する場合、図４の（ａ）に示すように、中央領域制御部１６１は、固定された状態を取る一方、外郭領域制御部１６３は、表示パネル１５０の４つの面を押し出すように回転することができる。
【００３０】
例えば、表示パネル１５０に図３の（ｂ）に示すように凸の曲率半径を形成する場合、図４の（ｃ）に示すように、外郭領域制御部１６３は、固定された状態を取る一方、中央領域制御部１６１は、表示パネル１５０の中央領域を押し出すように回転することができる。
【００３１】
これとは異なり、表示パネル１５０を通常の状態、すなわち平らな状態で形成する場合、図４の（ｂ）に示すように、中央領域制御部１６１と外郭領域制御部１６３は、デフォルト位置を保持し、表示パネル１５０とのスペースを離隔させておく状態を取ることができる。
【００３２】
一方、先述のように凹の曲率半径を有するか、凸の曲率半径を有するように実現された表示パネル１５０に映像を表示すると、図５のように曲率半径に沿って、特定の領域に信号の歪みが発生する。
【００３３】
例えば、図５の（ａ）と（ｂ）のように表示パネル１５０が凹の曲率半径を有する場合、Ｐ１のように表示パネル１５０の両側のエッジ部分に表示されるイメージ（ＩＭＧ）に歪みが発生したり、Ｐ２のように表示パネル１５０の両側左右の角のエッジ部分に表示されるイメージ（ＩＭＧ）に歪みが発生したりすることがある。
【００３４】
例えば、図５の（ｃ）と（ｄ）のように表示パネル１５０が凸の曲率半径を有する場合、Ｐ３のように表示パネル１５０の上下側面のエッジ部分に表示されるイメージ（ＩＭＧ）に歪みが発生したり、Ｐ４のように表示パネル１５０の両方の上下角のエッジ部分に表示されるイメージ（ＩＭＧ）に歪みが発生したりすることがある。
【００３５】
本発明は、前記のように表示パネル１５０が特定角度の曲率半径を有するように上下または左右に曲がっているか、曲がるように動作する時、エッジ部分に表示されるイメージ（ＩＭＧ）の歪みを次のように改善する。
【００３６】
図６は、本発明の第１実施形態に係る表示装置の一部を示すブロック図であり、図７及び図８は、本発明の第１実施形態に係るイメージ補正の理解を助けるための図である。
【００３７】
本発明の第１実施形態に係る表示装置には、映像処理部１００から出力される映像信号（ＤＡＴＡ）を補正してタイミング制御部１２０に提供する映像補正部１１０が含まれる。
【００３８】
映像補正部１１０は、表示パネル１５０の曲率半径に対応して、映像信号（ＤＡＴＡ）（またはイメージ）のエッジ部分が凹に入るように圧縮補正し、或いは、凸に出てくるように拡張補正する。
【００３９】
映像補正部１１０は、ルックアップテーブル１１３、メモリ部１１８及び補正部１１５を含む。ルックアップテーブル１１３には、表示パネル１５０の曲率半径に対応する曲率半径係数が貯蔵される。
【００４０】
メモリ部１１８は、映像処理部１００から出力される映像信号（ＤＡＴＡ）を一時貯蔵する。補正部１１５は、メモリ部１１８から映像信号（ＤＡＴＡ）をライン単位で読み出し、ルックアップテーブル１１３から表示パネル１５０の曲率半径に対応する曲率半径係数（ＤＲ）を読み出し、読み出された曲率半径係数（ＤＲ）に基づいて映像信号（ＤＡＴＡ）をライン単位で補正して出力する。
【００４１】
一方、表示パネル１５０が凹の曲率半径または凸の曲率半径を有して固定されている場合、曲率半径係数は決まっているので、ルックアップテーブル１１３に貯蔵されないことがある。これとは異なり、表示パネル１５０がユーザーの設定や、特定の映像などに対応して凹の曲率半径または凸の曲率半径を有するように可変される場合、曲率半径係数は多様に用意され、ルックアップテーブル１１３に貯蔵される。
【００４２】
表示パネル１５０がユーザーの設定や、特定の映像などに対応して凹の曲率半径または凸の曲率半径を有するように可変される場合、補正部１１５は、器具制御部（１６０、１６１、１６３）から表示パネル１５０の現在の曲率半径（ＣＲ）の供給を受けることができる。そして、補正部１１５は、器具制御部（１６０、１６１、１６３）から供給された現在の曲率半径に対応して曲率半径係数（ＤＲ）を読み出し、読み出された曲率半径係数（ＤＲ）に基づいて映像信号（ＤＡＴＡ）をライン単位で補正して出力する。
【００４３】
映像補正部１１０が前記のように構成されることに応じて、表示パネル１５０が凹の曲率半径を有して曲がっているときには映像信号（ＤＡＴＡ）を凸に補正し、表示パネル１５０が凸の曲率半径を有して曲がっているときには映像信号（ＤＡＴＡ）を凹に補正する。つまり、映像補正部１１０は、表示パネル１５０の曲率半径と反対の形状のイメージが表示されるように映像信号（ＤＡＴＡ）を逆像にして補正する。一方、映像補正部１１０は、表示パネル１５０が平らであるときには、映像信号（ＤＡＴＡ）を補正せずにそのまま出力する。
【００４４】
以下、第１実施形態に係る映像補正部１１０を用いて表示パネル１５０に表示されるイメージの歪みを改善する例を説明する。
【００４５】
［表示パネルが凹面の曲率半径を有する場合］
【００４６】
補正前の映像信号を凹の曲率半径を有する表示パネル１５０に供給すると、図７の左側のように表示パネル１５０には、歪曲したイメージが表示される。
【００４７】
映像補正部１１０は、表示パネル１５０が凹の曲率半径を有して曲がっているので、図７の中央のように曲率半径係数（ＤＲ）に対応して、映像信号（ＤＡＴＡ）を凸に補正する。映像補正部１１０は、映像信号（ＤＡＴＡ）を凸に補正するために、表示パネル１５０の中央領域に表示される映像信号（ＤＡＴＡ）の部分を拡張する。そして、信号の拡張と共に凸に補正された領域以外の領域にブラックデータを挿入する。このとき、ブラックデータは、データだけが存在し、表示パネル１５０に実質的に表示されない階調であれば、他の形式のデータも可能である。
【００４８】
このように補正された映像信号（ＤＡＴＡ）を凹の曲率半径を有する表示パネル１５０に供給すると、図７の右側のように表示パネル１５０には、正常に近いイメージが表示される。
【００４９】
［表示パネルが凸の曲率半径を有する場合］
【００５０】
補正前の映像信号を凸の曲率半径を有する表示パネル１５０に供給すると、図８の左側のように表示パネル１５０には、歪曲したイメージが表示される。
【００５１】
映像補正部１１０は、表示パネル１５０が凸の曲率半径を有して曲がっているので、図８の中央のように曲率半径係数（ＤＲ）に対応して、映像信号（ＤＡＴＡ）を凹に補正する。映像補正部１１０は、映像信号（ＤＡＴＡ）を凹に補正するために、表示パネル１５０の中央領域に表示される映像信号（ＤＡＴＡ）の部分を圧縮する。そして、信号の圧縮と共に凹に補正された領域以外の領域にブラックデータを挿入する。このとき、ブラックデータは、データだけが存在し、表示パネル１５０に実質的に表示されない階調であれば、他の形式のデータも可能である。
【００５２】
このように補正された映像信号（ＤＡＴＡ）を凸の曲率半径を有する表示パネル１５０に供給すると、図８の右側のように表示パネル１５０には、正常に近いイメージが表示される。
【００５３】
以上、本発明の第１実施形態のように表示パネルの曲率半径と対抗する逆像に映像信号を補正すると、特定の領域に表示されるイメージが歪んで見える問題を改善することができるので表示品質を向上することができる。
【００５４】
＜第２実施形態＞
【００５５】
図９は、本発明の第２実施形態に係る表示装置の一部を示すブロック図であり、図１０は、表示パネルの傾きに沿った上下視点の距離差を説明するための図であり、図１１は、図１０に示した上下視点の距離差によるイメージの歪みを説明するための図であり、図１２及び図１３は、本発明の第２実施形態に係る映像補正の理解を助けるための図である。
【００５６】
本発明の第２実施形態に係る表示装置には、映像処理部１００から出力される映像信号（ＤＡＴＡ）を補正してタイミング制御部１２０に提供する映像補正部１１０が含まれる。また、本発明の第２実施形態に係る表示装置には、表示パネル１５０の傾きに対応する角度情報（Ｄθ）を生成する傾き感知部１７０をさらに含む。
【００５７】
映像補正部１１０は、表示パネル１５０の曲率半径に対応して、映像信号（ＤＡＴＡ）（またはイメージ）のエッジ部分が凹に入るように圧縮補正し、或いは、凸に出てくるように拡張補正する。
【００５８】
映像補正部１１０は、ルックアップテーブル１１３、メモリ部１１８及び補正部１１５を含む。ルックアップテーブル１１３には、表示パネル１５０の曲率半径に対応する曲率半径係数が貯蔵される。メモリ部１１８は、映像処理部１００から出力される映像信号（ＤＡＴＡ）を一時貯蔵する。補正部１１５は、メモリ部１１８から映像信号（ＤＡＴＡ）をライン単位で読み出し、ルックアップテーブル１１３から表示パネル１５０の曲率半径に対応する曲率半径係数（ＤＲ）を読み出し、読み出された曲率半径係数（ＤＲ）に基づいて映像信号（ＤＡＴＡ）をライン単位で補正して出力する。
【００５９】
一方、表示パネル１５０が凹の曲率半径または凸の曲率半径を有して固定されている場合、曲率半径係数は決まっているので、ルックアップテーブル１１３に貯蔵されないことがある。これとは異なり、表示パネル１５０がユーザーの設定や、特定映像などに対応して凹の曲率半径または凸の曲率半径を有するように可変される場合、曲率半径係数は多様に用意され、ルックアップテーブル１１３に貯蔵される。
【００６０】
表示パネル１５０がユーザーの設定や、特定映像などに対応して凹の曲率半径または凸の曲率半径を有するように可変される場合、補正部１１５は、器具制御部（１６０、１６１、１６３）から表示パネル１５０の現在の曲率半径（ＣＲ）の供給を受けることができる。そして、補正部１１５は、器具制御部（１６０、１６１、１６３）から供給される現在の曲率半径に対応して曲率半径係数（ＤＲ）を読み出し、読み出された曲率半径係数（ＤＲ）に基づいて映像信号（ＤＡＴＡ）をライン単位で補正して出力する。
【００６１】
映像補正部１１０が前記のように構成されることに応じて、表示パネル１５０が凹の曲率半径を有して曲がっているときには映像信号（ＤＡＴＡ）を凸に補正し、表示パネル１５０が凸の曲率半径を有して曲がっているときには映像信号（ＤＡＴＡ）を凹に補正する。つまり、映像補正部１１０は、表示パネル１５０の曲率半径と反対の形状のイメージが表示されるように映像信号（ＤＡＴＡ）を逆像に補正する。一方、映像補正部１１０は、表示パネル１５０が平らであるときには、映像信号（ＤＡＴＡ）を補正せずにそのまま出力する。
【００６２】
映像補正部１１０は、傾き感知部１７０から供給された角度情報（Ｄθ）に基づいて映像信号（ＤＡＴＡ）を部分補正する。映像補正部１１０が傾き感知部１７０から供給された角度情報（Ｄθ）に基づいて映像信号（ＤＡＴＡ）を部分補正する方法については、以下で説明する。
【００６３】
図１０の（ａ）のように曲率半径を有する表示パネル１５０の中央領域（Ｃ）が、ユーザー（ＵＳＲ）の視点より下に位置するように傾けば、ユーザー（ＵＳＲ）の視点と表示パネル１５０の上部（ＵＰ）の間の距離”Ｄ１”は、ユーザー（ＵＳＲ）の視点と表示パネル１５０の下部（ＬＰ）間の距離”Ｄ２”より遠くなる。つまり、第１距離（Ｄ１）は、第２距離（Ｄ２）より大きくなる。この場合、表示パネル１５０の上部（ＵＰ）の後方への傾きに応じて、表示パネル１５０の中央領域（Ｃ）の対比角度は”Ｄθ＋”として表されるように上昇することになる。
【００６４】
図１０の（ｂ）のように曲率半径を有する表示パネル１５０の中央領域（Ｃ）が、ユーザー（ＵＳＲ）の視点より上に位置するように傾けば、ユーザー（ＵＳＲ）の視点と表示パネル１５０の下部（ＬＰ）間の距離”Ｄ２”は、ユーザー（ＵＳＲ）の視点と表示パネル１５０の上部（ＵＰ）の間の距離”Ｄ１”より遠くなる。つまり、第２距離（Ｄ２）は、第１距離（Ｄ１）より大きくなる。この場合、表示パネル１５０の上部（ＵＰ）の前方への傾きに応じて、表示パネル１５０の中央領域（Ｃ）の対比角度は”Ｄθ−”として表されるように下降することになる。
【００６５】
傾き感知部１７０は、表示パネル１５０の中央領域（Ｃ）の対比角度が変更することによって得られる角度情報（Ｄθ）を補正部１１５に供給する。そうすると、補正部１１５は、角度情報（Ｄθ）に基づいて、ユーザー（ＵＳＲ）と表示パネル１５０の傾きに応じた上下視点の距離（Ｄ１、Ｄ２）の差情報に変換し、それに基づいて表示パネル１５０に表示される映像信号（ＤＡＴＡ）の上下の部分のいずれか１つ以上を拡大するように補正することができる。
【００６６】
図１０では表示パネル１５０が上下に傾いたときのみ一例とした。しかし、表示パネル１５０が左右に傾いた場合でも、傾き感知部１７０は、前記のような方式で角度情報（Ｄθ）を得ることができる。そして、補正部１１５は、角度情報（Ｄθ）に基づいて、ユーザー（ＵＳＲ）と表示パネル１５０の傾きに応じた左右視点の距離差情報に変換し、それに基づいて表示パネル１５０に表示される映像信号（ＤＡＴＡ）の左右部分のいずれか１つ以上を拡大するように補正することができる。
【００６７】
前記の説明では、傾き感知部１７０が角度情報（Ｄθ）を得て、補正部１１５が角度情報（Ｄθ）に基づいて、ユーザー（ＵＳＲ）と表示パネル１５０の傾きに応じた左右視点の距離差情報に変換することを一例とした。しかし、傾き感知部１７０は、角度情報（Ｄθ）を得て、それをユーザー（ＵＳＲ）と表示パネル１５０の傾きに応じた左右視点の距離差の情報に変換して出力することもできる。また、前記の説明では、傾き感知部１７０のみを用いることを一例とした。しかし、表示パネル１５０にユーザー（ＵＳＲ）と表示パネル１５０の間の距離を測定できるセンサなどが形成された場合には、傾き感知部１７０を距離センサ部に置き換えた構造や、傾き感知部１７０と距離センサ部とが一緒に形成される構造になることもある。
【００６８】
以下、第２実施形態に係る映像補正部１１０を用いで表示パネル１５０の傾きに沿った上下視点の距離差の改善の例を説明する。
【００６９】
図１１の（ａ）に示すように表示パネル１５０の下部（ＬＰ）がユーザーの視点と近くなるように傾いた場合、表示パネル１５０の上部（ＵＰ）はユーザーから遠ざかることになる。したがって、表示パネル１５０の上部（ＵＰ）より下部（ＬＰ）に表示された部分が拡大されて見える。
【００７０】
図１１の（ｂ）に示すように表示パネル１５０の上部（ＵＰ）がユーザーの視点と近くなるように傾いた場合、表示パネル１５０の下部（ＬＰ）はユーザーから遠ざかることになる。したがって、表示パネル１５０の下部（ＬＰ）より上部（ＵＰ）に表示された部分が拡大されて見える。
【００７１】
このように、曲率半径を有する表示パネル１５０は、中心部と端部との間の遠近の差があり、ユーザーに遠い表示部分より近い表示部分が拡大されて表示される問題がある。これを改善するために、映像補正部１１０は、角度情報（Ｄθ）に基づいて、表示パネル１５０に表示される映像信号（ＤＡＴＡ）の上下左右の部分のいずれか１つ以上が拡大されるように補正する。
【００７２】
例えば、表示パネル１５０が図１１の（ａ）に示すように傾いている場合、映像補正部１１０は、角度情報（Ｄθ）の提供を受け、図１２の（ａ）に示すように映像信号（ＤＡＴＡ）を逆像に補正する。具体的に説明すると、表示パネル１５０の下部（ＬＰ）が拡大されて見えるので、映像補正部１１０は、これと逆像に映像信号（ＤＡＴＡ）の上部を拡張補正し、下部を圧縮補正する。そして、圧縮された領域以外の領域にはブラックデータを挿入する。
【００７３】
このように、映像信号（ＤＡＴＡ）を補正して表示パネル１５０に供給すると、下部が拡大されて見えていたイメージは、図１３の（ａ）の“Ｃ１”のように上部（ＵＰ）が補正されて拡大されて見えず、上下のイメージがほぼ均一に見えるようになる。
【００７４】
例えば、表示パネル１５０が図１１の（ｂ）に示すように傾いている場合、映像補正部１１０は、角度情報（Ｄθ）の提供を受け、図１２の（ｂ）に示すように映像信号（ＤＡＴＡ）を逆像に補正する。具体的に説明すると、表示パネル１５０の上部（ＵＰ）が拡大されて見えるので、映像補正部１１０は、これと逆像に映像信号（ＤＡＴＡ）の下部を拡張補正し、上部を圧縮補正する。そして、圧縮された領域以外の領域にはブラックデータを挿入する。
【００７５】
このように、映像信号（ＤＡＴＡ）を補正して表示パネル１５０に供給すると、上部が拡大されて見えていたイメージは、図１３の（ｂ）の“Ｃ２”のように下部（ＬＰ）が補正されて拡大されて見えず、上下のイメージがほぼ均一に見えるようになる。
【００７６】
以上、本発明の第２実施形態のように表示パネルの傾きと対抗する逆像に映像信号を補正すると、特定の領域に表示されたイメージが歪んで見える問題を改善することができるので表示品質を向上することができる。
【００７７】
以下、本発明の他の実施形態について説明する。
【００７８】
図１４及び図１５は、本発明の他の実施形態を説明するためのブロック図である。
【００７９】
図１４に示す本発明の他の実施形態は、リモートコントローラーなどの外部入力手段１８０を介してユーザーが表示パネル１５０の曲率半径係数（ＤＲ）や角度情報（Ｄθ）を入力するように実現される。この場合、映像補正部１１０は、ルックアップテーブルを参照せずに外部入力手段１８０を介して入力された変数（ＤＲ、Ｄθ）に基づいて映像信号（ＤＡＴＡ）を補正することができる。すなわち、第１及び第２の実施形態では、映像補正部１１０及びこれに連動しているデバイスによって変数（ＤＲ、Ｄθ）が自動に生成され、これに対応し、映像信号（ＤＡＴＡ）が補正されるが、図１４に示す実施形態では、マニュアル方式で補正される。
【００８０】
図１５に示す本発明の他の実施形態では、ルックアップテーブル１１３、メモリ部１１８及び補正部１１５は、映像処理部１００内に統合されている。この場合、装置の構成を単純化することができるようになる。
【００８１】
以下、本発明に係る表示装置の駆動方法について説明する。
【００８２】
図１６は、本発明に係る表示装置の駆動方法を説明するためのフローチャートである。
【００８３】
まず、表示パネルの曲率半径係数を読み出す（Ｓ１１０）。
【００８４】
その後、表示パネルに供給する映像信号をライン単位で読み出す（Ｓ１２０）。
【００８５】
次に、表示パネルの曲率半径に対応する曲率半径係数に基づいて映像信号のエッジ部分が凹に入るように圧縮補正し又は凸に出てくるように拡長補正する（Ｓ１３０）。ここで、表示パネルが凹の曲率半径を有して曲がっているときには映像信号を凸に補正し、表示パネルが凸の曲率半径を有して曲がっているときには映像信号を凹に補正し、表示パネルが平らであるときには映像信号を補正せずにそのままとすることができる。
【００８６】
その後、表示パネルに補正された映像信号を供給する（Ｓ１５０）。
【００８７】
次に、補正された映像信号に基づいて映像を表示する（Ｓ１７０）。
【００８８】
補正段階（Ｓ１３０）において角度情報が未入力のとき（Ｎ）は、前記のような流れで行われる。一方、補正段階（Ｓ１３０）で角度情報が入力されたとき（Ｙ）は、表示パネルの傾きに対応する角度情報の供給を受ける。
【００８９】
次に、角度情報に基づいて映像信号の上下左右の部分のいずれか１つ以上が拡大されるように補正する（Ｓ１６０）。
【００９０】
次に、補正された映像信号に基づいて映像を表示する（Ｓ１７０）。
【００９１】
以上、前記の説明では、本発明に係る表示装置の駆動方法の概要を説明した。しかし、本発明に係る表示装置の駆動方法は、第１及び第２実施形態で説明されたことを基礎として、これに基づいて解釈されるべきである。
【符号の説明】
【００９２】
１００…映像処理部
１１０…映像補正部
１１３…ルックアップテーブル
１１５…補正部
１１８…メモリ部
１２０…タイミング制御部
１３０…ゲート駆動部
１４０…データ駆動部
１５０…表示パネル
【図１】
2014119763.tif 000003
【図２】
2014119763.tif 000004
【図３】
2014119763.tif 000005
【図４】
2014119763.tif 000006
【図５】
2014119763.tif 000007
【図６】
2014119763.tif 000008
【図７】
2014119763.tif 000009
【図８】
2014119763.tif 000010
【図９】
2014119763.tif 000011
【図１０】
2014119763.tif 000012
【図１１】
2014119763.tif 000013
【図１２】
2014119763.tif 000014
【図１３】
2014119763.tif 000015
【図１４】
2014119763.tif 000016
【図１５】
2014119763.tif 000017
【図１６】
2014119763.tif 000018